【手続補正書】
【提出日】平成15年9月11日(2003.9.11)
【手続補正１】
【補正対象書類名】明細書
【補正対象項目名】特許請求の範囲
【補正方法】変更
【補正の内容】
【特許請求の範囲】
【請求項１】
開設者からの依頼に基づき開設される口座を識別するための口座番号と、当該開設者と異なる利用者が当該口座の利用に用いる暗証番号をサーバが関連付けて記憶することで、当該利用者による当該口座の利用を可能とする方法であって、
上記サーバが、上記開設者が指定した口座番号の採番に必要な情報を受付けるステップと、
上記サーバが、上記受付けた情報に基づき口座番号を採番するステップと、
上記サーバが、上記利用者が指定した上記採番された口座番号に関連付けて記憶される暗証番号を受付けるステップと、
上記サーバが、上記採番した口座番号と上記受付けた暗証番号を関連付けて記憶するステップと、
上記サーバが、上記採番した口座番号を上記利用者に通知するステップ、とを有することを特徴とする口座開設方法。
【請求項２】
開設者からの依頼に基づき開設される口座を識別するための口座番号と、当該開設者と異なる利用者が当該口座の利用に用いる暗証番号をサーバが関連付けて記憶することで、当該利用者による当該口座の利用を可能とする方法であって、
上記サーバが、上記開設者が指定した口座番号の採番に必要な情報を受付けるステップと、
上記サーバが、上記受付けた情報に基づき口座番号を採番するステップと、
上記サーバが、上記利用者が指定した上記採番された口座番号に関連付けて記憶される暗証番号を生成するステップと、
上記サーバが、上記採番した口座番号と上記生成した暗証番号を関連付けて記憶するステップと、
上記サーバが、上記採番した口座番号と上記生成した暗証番号を上記利用者に通知するステップ、とを有することを特徴とする口座開設方法。
【請求項３】
サーバが、利用者に対して、口座開設の依頼を受付けた旨を通知すると共に暗証番号の指定を促すステップ、をさらに有する請求項１記載の口座開設方法。
【請求項４】
サーバが、口座開設が完了した旨を開設者に通知するステップ、をさらに有する請求項１乃至３のいずれかに記載の口座開設方法。
【請求項５】
開設者からの依頼に基づき開設される口座を識別するための口座番号と、当該開設者と異なる利用者が当該口座の利用に用いる暗証番号を関連付けて記憶することで、当該利用者による当該口座の利用を可能とするサーバであって、
上記開設者が指定した口座番号の採番に必要な情報を受付ける手段と、
上記受付けた情報に基づき口座番号を採番する手段と、
上記利用者が指定した上記採番された口座番号に関連付けて記憶される暗証番号を受付ける手段と、
上記採番した口座番号と上記受付けた暗証番号を関連付けて記憶する手段と、
上記採番した口座番号を上記利用者に通知する手段、とを有してなることを特徴とする口座開設サーバ。
【請求項６】
開設者からの依頼に基づき開設される口座を識別するための口座番号と、当該開設者と異なる利用者が当該口座の利用に用いる暗証番号を関連付けて記憶することで、当該利用者による当該口座の利用を可能とするサーバであって、
上記開設者が指定した口座番号の採番に必要な情報を受付ける手段と、
上記受付けた情報に基づき口座番号を採番する手段と、
上記利用者が指定した上記採番された口座番号に関連付けて記憶される暗証番号を生成する手段と、
上記採番した口座番号と上記生成した暗証番号を関連付けて記憶する手段と、
上記採番した口座番号と上記生成した暗証番号を上記利用者に通知する手段、とを有してなることを特徴とする口座開設サーバ。
【請求項７】
利用者に対して、口座開設の依頼を受付けた旨を通知すると共に暗証番号の指定を促す手段、をさらに有する請求項５記載の口座開設サーバ。
【請求項８】
口座開設が完了した旨を開設者に通知する手段、をさらに有する請求項５乃至７のいずれかに記載の口座開設サーバ。
【請求項９】
開設者からの依頼に基づき開設される口座を識別するための口座番号と、当該開設者と異なる利用者が当該口座の利用に用いる暗証番号を関連付けて記憶することで、当該利用者による当該口座の利用を可能とするためにコンピュータを、
上記開設者が指定した口座番号の採番に必要な情報を受付ける手段、
上記受付けた情報に基づき口座番号を採番する手段、
上記利用者が指定した上記採番された口座番号に関連付けて記憶される暗証番号を受付ける手段、
上記採番した口座番号と上記受付けた暗証番号を関連付けて記憶する手段、
上記採番した口座番号を上記利用者に通知する手段、として機能させることを特徴とする口座開設プログラム。
【請求項１０】
開設者からの依頼に基づき開設される口座を識別するための口座番号と、当該開設者と異なる利用者が当該口座の利用に用いる暗証番号を関連付けて記憶することで、当該利用者による当該口座の利用を可能とするためにコンピュータを、
上記開設者が指定した口座番号の採番に必要な情報を受付ける手段、
上記受付けた情報に基づき口座番号を採番する手段、
上記利用者が指定した上記採番された口座番号に関連付けて記憶される暗証番号を生成する手段、
上記採番した口座番号と上記生成した暗証番号を関連付けて記憶する手段、
上記採番した口座番号と上記生成した暗証番号を上記利用者に通知する手段、として機能させることを特徴とする口座開設プログラム。
【請求項１１】
利用者に対して、口座開設の依頼を受付けた旨を通知すると共に暗証番号の指定を促す手段、としてさらに機能させる請求項９記載の口座開設プログラム。
【請求項１２】
口座開設が完了した旨を開設者に通知する手段、としてさらに機能させる請求項９乃至１１のいずれかに記載の口座開設プログラム。
【請求項１３】
コンピュータプログラムを記録したコンピュータ読取可能な記録媒体であって、
上記コンピュータプログラムは、請求項９乃至１２のいずれかに記載の口座開設プログラムであることを特徴とするコンピュータ読取可能な記録媒体。
【手続補正２】
【補正対象書類名】明細書
【補正対象項目名】００１２
【補正方法】変更
【補正の内容】
【００１２】
【課題を解決するための手段】
請求項１記載の発明は、開設者からの依頼に基づき開設される口座を識別するための口座番号と、開設者と異なる利用者が口座の利用に用いる暗証番号をサーバが関連付けて記憶することで、利用者による口座の利用を可能とする方法であって、サーバが、開設者が指定した口座番号の採番に必要な情報を受付けるステップと、サーバが、受付けた情報に基づき口座番号を採番するステップと、サーバが、利用者が指定した採番された口座番号に関連付けて記憶される暗証番号を受付けるステップと、サーバが、採番した口座番号と受付けた暗証番号を関連付けて記憶するステップと、サーバが、採番した口座番号を利用者に通知するステップ、とを有することを特徴とする。


【手続補正３】
【補正対象書類名】明細書
【補正対象項目名】００１３
【補正方法】変更
【補正の内容】
【００１３】
請求項２記載の発明は、開設者からの依頼に基づき開設される口座を識別するための口座番号と、開設者と異なる利用者が口座の利用に用いる暗証番号をサーバが関連付けて記憶することで、利用者による口座の利用を可能とする方法であって、サーバが、開設者が指定した口座番号の採番に必要な情報を受付けるステップと、サーバが、受付けた情報に基づき口座番号を採番するステップと、サーバが、利用者が指定した採番された口座番号に関連付けて記憶される暗証番号を生成するステップと、サーバが、採番した口座番号と生成した暗証番号を関連付けて記憶するステップと、サーバが、採番した口座番号と生成した暗証番号を利用者に通知するステップ、とを有することを特徴とする。


【手続補正４】
【補正対象書類名】明細書
【補正対象項目名】００１４
【補正方法】変更
【補正の内容】
【００１４】
請求項３記載の発明は、請求項１記載の発明において、サーバが、利用者に対して、口座開設の依頼を受付けた旨を通知すると共に暗証番号の指定を促すステップ、をさらに有することを特徴とする。


【手続補正５】
【補正対象書類名】明細書
【補正対象項目名】００１５
【補正方法】変更
【補正の内容】
【００１５】
請求項４記載の発明は、請求項１乃至３のいずれかに記載の発明において、サーバが、口座開設が完了した旨を開設者に通知するステップ、をさらに有することを特徴とする。


【手続補正６】
【補正対象書類名】明細書
【補正対象項目名】００１６
【補正方法】変更
【補正の内容】
【００１６】
請求項５記載の発明は、開設者からの依頼に基づき開設される口座を識別するための口座番号と、開設者と異なる利用者が口座の利用に用いる暗証番号を関連付けて記憶することで、利用者による口座の利用を可能とするサーバであって、開設者が指定した口座番号の採番に必要な情報を受付ける手段と、受付けた情報に基づき口座番号を採番する手段と、利用者が指定した採番された口座番号に関連付けて記憶される暗証番号を受付ける手段と、採番した口座番号と受付けた暗証番号を関連付けて記憶する手段と、採番した口座番号を利用者に通知する手段、とを有してなることを特徴とする。


【手続補正７】
【補正対象書類名】明細書
【補正対象項目名】００１７
【補正方法】変更
【補正の内容】
【００１７】
請求項６記載の発明は、開設者からの依頼に基づき開設される口座を識別するための口座番号と、開設者と異なる利用者が口座の利用に用いる暗証番号を関連付けて記憶することで、利用者による口座の利用を可能とするサーバであって、開設者が指定した口座番号の採番に必要な情報を受付ける手段と、受付けた情報に基づき口座番号を採番する手段と、利用者が指定した採番された口座番号に関連付けて記憶される暗証番号を生成する手段と、採番した口座番号と生成した暗証番号を関連付けて記憶する手段と、採番した口座番号と生成した暗証番号を利用者に通知する手段、とを有してなることを特徴とする。


【手続補正８】
【補正対象書類名】明細書
【補正対象項目名】００１８
【補正方法】変更
【補正の内容】
【００１８】
請求項７記載の発明は、請求項５記載の発明において、利用者に対して、口座開設の依頼を受付けた旨を通知すると共に暗証番号の指定を促す手段、をさらに有することを特徴とする。


【手続補正９】
【補正対象書類名】明細書
【補正対象項目名】００１９
【補正方法】変更
【補正の内容】
【００１９】
請求項８記載の発明は、請求項５乃至７のいずれかに記載の発明において、口座開設が完了した旨を開設者に通知する手段、をさらに有することを特徴とする。


【手続補正１０】
【補正対象書類名】明細書
【補正対象項目名】００２０
【補正方法】変更
【補正の内容】
【００２０】
請求項９記載の発明は、開設者からの依頼に基づき開設される口座を識別するための口座番号と、開設者と異なる利用者が口座の利用に用いる暗証番号を関連付けて記憶することで、利用者による口座の利用を可能とするためにコンピュータを、開設者が指定した口座番号の採番に必要な情報を受付ける手段、受付けた情報に基づき口座番号を採番する手段、利用者が指定した採番された口座番号に関連付けて記憶される暗証番号を受付ける手段、採番した口座番号と受付けた暗証番号を関連付けて記憶する手段、採番した口座番号を利用者に通知する手段、として機能させることを特徴とする。


【手続補正１１】
【補正対象書類名】明細書
【補正対象項目名】００２１
【補正方法】変更
【補正の内容】
【００２１】
請求項１０記載の発明は、開設者からの依頼に基づき開設される口座を識別するための口座番号と、開設者と異なる利用者が口座の利用に用いる暗証番号を関連付けて記憶することで、利用者による口座の利用を可能とするためにコンピュータを、開設者が指定した口座番号の採番に必要な情報を受付ける手段、受付けた情報に基づき口座番号を採番する手段、利用者が指定した採番された口座番号に関連付けて記憶される暗証番号を生成する手段、採番した口座番号と生成した暗証番号を関連付けて記憶する手段、採番した口座番号と生成した暗証番号を利用者に通知する手段、として機能させることを特徴とする。


【手続補正１２】
【補正対象書類名】明細書
【補正対象項目名】００２２
【補正方法】変更
【補正の内容】
【００２２】
請求項１１記載の発明は、請求項９記載の発明において、利用者に対して、口座開設の依頼を受付けた旨を通知すると共に暗証番号の指定を促す手段、としてさらに機能させることを特徴とする。


【手続補正１３】
【補正対象書類名】明細書
【補正対象項目名】００２３
【補正方法】変更
【補正の内容】
【００２３】
請求項１２記載の発明は、請求項９乃至１１のいずれかに記載の発明において、口座開設が完了した旨を開設者に通知する手段、としてさらに機能させることを特徴とする。


【手続補正１４】
【補正対象書類名】明細書
【補正対象項目名】００２４
【補正方法】変更
【補正の内容】
【００２４】
請求項１３記載の発明は、コンピュータプログラムを記録したコンピュータ読取可能な記録媒体であって、コンピュータプログラムは、請求項９乃至１２のいずれかに記載の口座開設プログラムであることを特徴とする。